(57)【要約】【課題】本発明は、全体が弾性及び柔軟性を有する素材で形成され、突起部と受孔の嵌合によって連結および分解が可能な組立用ブロック玩具に関する。【解決手段】この組立用ブロック玩具は、１または複数の貫通孔を有する一対の基台部と、該一対の基台部の間に挟んで固着され前記貫通孔を塞ぐ中間仕切板部と、前記貫通孔とほぼ同一の断面で貫通孔より長く設定された突軸とからなっており、一方の基台部の貫通孔が中間仕切板部で底部を塞がれて突軸の基部側を嵌合、固着する取付孔となり、他方の基台部の貫通孔が中間仕切板部で頂部を塞がれて別体の組立用ブロック玩具の突軸の突出側となる突起部を嵌脱自在に連結する受孔となることを特徴とする。【選択図】図１
2005058437.tif 000002
【特許請求の範囲】
【請求項１】
全体が弾性及び柔軟性を有する素材で形成され、突起部と受孔の嵌合によって連結および分解が可能な組立用ブロック玩具であって、
１または複数の貫通孔を有する一対の基台部と、
該一対の基台部の間に挟んで固着され前記貫通孔を塞ぐ中間仕切板部と、
前記貫通孔とほぼ同一の断面で貫通孔より長く設定された突軸とからなっており、
一方の基台部の貫通孔が中間仕切板部で底部を塞がれて突軸の基部側を嵌合、固着する取付孔となり、他方の基台部の貫通孔が中間仕切板部で頂部を塞がれて別体の組立用ブロック玩具の突軸の突出側となる突起部を嵌脱自在に連結する受孔となることを特徴とする組立用ブロック玩具。
【請求項２】
基準寸法を基にして、基台部の縦横の長さが基準寸法の倍数に設定され、該基台部に形成された貫通孔の直径および隣接する貫通孔間の間隔を基準寸法に設定され、且つ外周側に設けられた貫通孔と基台部の外周縁部との間隔が基準寸法の１／２に設定されると共に、全体の厚みを基準寸法の２倍に設定してなることを特徴とする請求項１に記載の組立用ブロック玩具。
【発明の詳細な説明】
【技術分野】
【０００１】
本発明は、全体が弾性及び柔軟性を有する素材で形成され、突起部と受孔の嵌合によって連結および分解が可能な組立用ブロック玩具の改良に関するものである。
【背景技術】
【０００２】
軟質樹脂発泡体を素材とした凹凸を有する大形のブロック玩具は、木製や硬質のプラスチック製のブロック玩具（積木）と異なり、大きいので幼児等が扱いやすく、人にぶつかっても安全であり、また騒音が生じることもない。
この種のブロック玩具には次の２構造が知られている。
（１）ブロック毎に金型で発泡一体成形するもの。
この製品は、部品毎に分割されていない一体成型であるからスマートに見え、商品価値も高い。また、加工精度が高く、結合精度も良いし、量産にも適する。
しかし、金型投資が大きく、ブロックの種類を変更するのが難しい。
特に、突軸の付根部分で樹脂の成型上、分子構造的な歪みを生じやすく破損しがちになる弱点があり、設計や成型が難しい。
また、全体が一色成型であり、多色配色は難しく、商品構成上、素材の色を変えて色数だけ成型する必要がある。
（２）本体と突軸の素材を変えて接合したもの。
突軸分だけを硬質樹脂で成型し、本体は発泡板を切断し、開孔部に前記突軸のみ挿入し固着している。
この場合、突軸の強度や、嵌合精度は良いが、突軸だけが硬質であるため安全上問題が残る。
一方、突軸と本体とを別色にでき、比較的安価だが  突軸の成型や組込みが別に必要となりコストアップとなる。
（３）硬質樹脂で射出成型したもの
ほとんどが小型、中型の大きさに限定される。
大型では全体的な強度を必要とするから、一個当たりが高価になってしまうため種類も少ない。
加工精度や接合精度ともに良好であるが、硬質であり、また小型のものとなってしまう。
【特許文献１】実用新案登録第３０５１８４３号
【発明の開示】
【発明が解決しようとする課題】
【０００３】
この発明は、上記事情を解決すべく創案されたものであって、その主たる課題は、ブロックの全体が同一の弾性体からなっており、製作が容易であると共に安全性と十分な強度とを有する耐久性に優れた組立用ブロック玩具を提供することにある。
また、一対の基台部と中間仕切板部と突軸の一部または全部を異なる色に着色し、色分け模様を施した組立用ブロック玩具を提供することにある。
【課題を解決するための手段】
【０００４】
上記課題を解決するために、請求項１の発明では、
全体が弾性及び柔軟性を有する素材で形成され、突起部と受孔の嵌合によって連結および分解が可能な組立用ブロック玩具であって、
１または複数の貫通孔を有する一対の基台部と、該一対の基台部の間に挟んで固着され前記貫通孔を塞ぐ中間仕切板部と、前記貫通孔とほぼ同一の断面で貫通孔より長く設定された突軸とからなっており、
一方の基台部の貫通孔が中間仕切板部で底部を塞がれて突軸の基部側を嵌合、固着する取付孔となり、他方の基台部の貫通孔が中間仕切板部で頂部を塞がれて別体の組立用ブロック玩具の突軸の突出側となる突起部を嵌脱自在に連結する受孔となる、という技術的手段を講じている。
また、請求項２の発明では、
基準寸法を基にして、基台部の縦横の長さが基準寸法の倍数に設定され、該基台部に形成された貫通孔の直径および隣接する貫通孔間の間隔を基準寸法に設定され、且つ外周側に設けられた貫通孔と基台部の外周縁部との間隔が基準寸法の１／２に設定されると共に、全体の厚みを基準寸法の２倍に設定してなる、という技術的手段を講じている。
【発明の効果】
【０００５】
この発明は、ブロックの全体が同一の弾性及び柔軟性を有する素材で構成されており、特に幼児にとって安全である。
特に、軟質樹脂を板状ブロックに発泡させる場合には、突起や凹部がなく成型歪みを最低に押さえることができるので分子構造的に強度上の劣化を防止できる均一の母材が得られる。また基台部と中間仕切板部とが固着され、また突軸は貫通孔に嵌合し底部が中間仕切板部と衝合しており強固に固着することができ、従来のブロック玩具のように突軸の付根部分が脆弱になることはない。
また、別体の基台部と中間仕切板部と突軸とを固着するので、多色化が容易である。
中間仕切板部の端部が露出するので、この部分の彩色を変えることにより、中央にアクセントとなるライン様の模様を施すことができる。
また、開孔部は貫通孔と中間仕切板部とで構成されるから、開孔部の深さなど正確な加工が容易に遂行しうる。
更に、基台部は金型を必要とせず、所定間隔に貫通孔を有する連続する基板を切断することにより製作しうるから、基台部の種類を容易に増加あるいは変更できる。
【発明を実施するための最良の形態】
【０００６】
この発明は、基台部の貫通孔の一方の開口を中間仕切板部で塞ぎ、突軸を嵌合するようにして、全体が弾性および柔軟性を有する素材であっても強度および耐久性を高めた組立用ブロック玩具を実現した。
以下に、この発明の組立用ブロック玩具の好適実施例を図面を参照しながら説明する。
【実施例１】
【０００７】
図１から図３に示す組立用ブロック玩具１は、全体が弾性及び柔軟性を有する素材で形成され、突起部１１と受孔１２の嵌合によって組立用ブロック玩具１同士を連結し、また分解することができるようになっている。
この組立用ブロック玩具１は、複数（本実施例では２×２、または２×４）の厚み方向に貫通する貫通孔３を有する一対の基台部２、２と、該一対の基台部２、２の間に挟んで接着し前記貫通孔３を塞ぐ中間仕切板部４と、前記貫通孔３とほぼ同一（図示例では僅かに小径）の断面で貫通孔３より長く設定された円柱状の突軸５とからなっている。
そして、本実施例では、前記基台部２、中間仕切板部４および突軸５は、全て独立発泡のＥＶＡ樹脂が用いられており、適度な弾性と柔軟性とを備えている。
この発明では、上記組立用ブロック玩具１の素材はＥＶＡ樹脂に限らず、発泡させた合成樹脂やゴム（合成ゴムを含む）その他の公知の弾性、柔軟性を有する素材を適宜用いることができる。
【０００８】
そして、一対の基台部２、２の間に中間仕切板部４を挟んで、基台部２、２と中間仕切板部４に接着剤を塗布して一体に接着固定する。
これにより、一方の基台部２の貫通孔３が中間仕切板部４で底部を塞がれて突軸５の基部側を嵌合、固着する取付孔６となる。
また、他方の基台部２の貫通孔３が中間仕切板部４で頂部を塞がれて別体の組立用ブロック玩具１の突起部１１を嵌脱自在に連結する受孔１２となる。
【０００９】
また、前記取付孔６には、突軸５の基部側を嵌合し、固着する。
そして、突軸５の取付孔６から突出した部分が、突起部１１として用いられる。
図示例の場合、この突起部１１と受孔１２とは、同軸線上に配置されて相互に背向している。
前記固着は、突軸５を貫通孔３に嵌合した部分の外周面に接着剤を塗布し、およびまたは貫通孔３の内周面に接着剤を塗布し、面で一体に接着固定する。
あるいは突軸５の底面と、貫通孔３を塞ぐ中間仕切板部４との衝合面との間に接着剤を塗布して固着してもよい。
前記基台部２と中間仕切板部４、および取付孔６への突軸５の接着が面で行われる場合にはいずれも接着面に接着材層が形成されるため、一体成型のものよりも強度が増大しうるようになっている。
なお、この発明では前記基台部２と中間仕切板部４、突軸５と取付孔６との固着は上記実施例に限定されるものではなく、一体的に固着されるものであればよい。
【００１０】
そして、一対の基台部２、２と、中間仕切板部４とからなる三層積層構造は、製造工程をそのまま反映しているから、変更することはできず、直視されるので外観上、形態として視覚上に現れる特徴ともなる。
そこで、一対の基台部２、２と中間仕切板部４と突軸５または突起部１１との各部材の一部または全部を異なる色に彩色し、色分け模様を施すことが可能となる。
例えば、中間仕切板部４を別の色彩とすれば、中央にアクセントとなるライン様の模様を施した組立用ブロック玩具１となる。
【００１１】
また、突軸５または突起部１１を別の色彩とし、あるいは前記中間仕切板部４の色彩に合わせて、基台部２、２と異なる色彩にすることもでき、要するに色彩は各部品毎に、適宜に変更することができる。
なお、本実施例では、各部材はその全体を彩色したが、組立用ブロック玩具１として表面に表れる個所だけを彩色するようにしてもよい。
また、彩色は単一色に限らず、グラデーションや多色模様を施したものでもよい。
【００１２】
本実施例では、組立用ブロック玩具が連続して連結しうるように、その形状について基準寸法を設定し、それを基に各部のサイズを設定している。
一例として基準寸法を２０ｍｍとした場合について説明する（図７参照）。
まず、基台部２の縦横の長さを基準寸法の倍数に設定する。
本実施例では縦横の長さを４倍（８０ｍｍ）とした平面正方形（図１参照）と、縦の長さを４倍（８０ｍｍ）、横の長さを８倍（１６０ｍｍ）とした平面長方形（図３参照）の組立用ブロック玩具１の２種類を示す。
【００１３】
これらの組立用ブロック玩具１では、基台部２に形成された貫通孔３（取付孔６、受孔１２も同じ）の直径Ｒが基準寸法と同一の２０ｍｍに設定される。
また、同一の基台部２上で縦横に隣接する貫通孔３、３間の間隔Ｌが基準寸法と同一の２０ｍｍに設定される。
更に、外周側に設けられた貫通孔３と基台部２の外周縁部との間隔Ｍは、基準寸法の１／２である１０ｍｍに設定される。
そして、組立用ブロック玩具１全体の厚みＤは基準寸法の２倍である４０ｍｍに設定される。
本実施例では、基台部２の厚みｃが１７．５ｍｍ、中間仕切板部４の厚みｄを５ｍｍとした。
従って、貫通孔３（取付孔６、受孔１２も同じ）の深さは基台部２の厚みと等しく１７．５ｍｍとなる。
【００１４】
突軸５の直径は、接着剤層の余裕を見て、基準寸法より僅かに短く設定される。
本実施例で、突軸５の直径ａは１９．６ｍｍとなっている（Ｒ＞ａ）。
同様に、突軸５の突起部１１の長さｂは、取付孔６の深さ（基台部の厚みと同じ）より僅かに短く設定され、且つ中間仕切板部４の厚みｄより長く設定される。
本実施例で突起部１１の長さｂは１７．２ｍｍであり、従って、突軸５の長さは３４．７ｍｍとなっている（ｃ＞ｂ＞ｄ）。
この数値は上記実施例に限定されず、基準値を基に、適宜に設定することができる。
【００１５】
図４には、図１に示した平面正方形状の組立用ブロック玩具１だけを多数用いた立体の組立例を示す。
この組立用ブロック玩具１は、２つ以上を組み立てる場合は上下に交互にずらして積み重ね、下段の組立用ブロック玩具１の突起部１１を、上段の組立用ブロック玩具１の受孔１２に嵌合して立体を組み立てていくことができる。
【００１６】
図５には、図３に示した平面長方形状の組立用ブロック玩具１だけを多数用いた立体の組立例を示す。
この組立用ブロック玩具１も、２つ以上を組み立てる場合は、上段と下段の組立用ブロック玩具１とが、上下に整合して外縁が揃わないように、上下でずらして積み重ね、下段の組立用ブロック玩具１の突起部１１を、上段の組立用ブロック玩具１の受孔１２に嵌合して立体を組み立てていくことができる。  
【００１７】
上記実施例では、同一形状の組立用ブロック玩具１のみを用いた場合を例示したが、正方形状と長方形状の異なる組立用ブロック玩具１を用いて立体を組み立てる構造であってもよく、また図示しないが所望形状に形成されて、本実施例と同一形状の突起部およびまたは受孔を有する部材を用いて、所定形状の立体を組立てる構成としてもよい。
また、図６に示すように、突起部１１だけを組立用ブロック玩具１と同じ配列、寸法で設けたベース盤８を用意しておき、その上に組立用ブロック玩具１を積み重ね組み立てる方法であってもよい。
【００１８】
また、この発明では、一対の基台部として同一形状のものを用いたが、貫通孔の配置を異にした形状の基台部を組み合わせて使用してもよい。一対の基台部の貫通孔は、中間仕切板部を介して固着した際に同軸線上に配置されなくてもよく、突軸の突起部と受孔とは同軸線上になくてもよい。
更に、この発明では、貫通孔と突軸の断面形状はほぼ同一であって、断面は円形、三角形、四角形、楕円形その他の適宜幾何図形や任意の形状に設定することができる。
また、前記実施例では突軸の断面は貫通孔の断面より僅かに小さく設定したが、同一あるいは大きく設定し圧縮した状態で嵌合するものでもよい。
その他、要するにこの発明の要旨を変更しない範囲で種々設計変更しうること勿論である。
【図面の簡単な説明】
【００１９】
【図１】平面正方形状の組立用ブロック玩具を示す図で、（ａ）は平面図、（ｂ）は側面図、（ｃ）底面図、（ｄ）は断面図である。
【図２】図１の取付状態を示す斜視図である。
【図３】平面長方形状の組立用ブロック玩具を示す図で、（ａ）は平面図、（ｂ）は側面図、（ｃ）底面図、（ｄ）は長手方向の断面図、（ｅ）は短手方向の断面図である。
【図４】（ａ）〜（ｅ）は平面正方形状の組立用ブロック玩具を用いた立体の組立例の一部を示す断面図である。
【図５】（ａ）〜（ｃ）は平面長方形状の組立用ブロック玩具を用いた立体の組立例の一部を示す断面図である。
【図６】ベース盤を用いた異なる実施例の組立例を示す断面図である。
【図７】組立用ブロック玩具の各部の長さを説明する図である。
【符号の説明】
【００２０】
１    ブロック玩具
３    貫通孔
２    基台部
４    中間仕切板部
５    突軸
６    取付孔
８    ベース盤
１１    突起部
１２    受孔
【図１】
2005058437.tif 000003
【図２】
2005058437.tif 000004
【図３】
2005058437.tif 000005
【図４】
2005058437.tif 000006
【図５】
2005058437.tif 000007
【図６】
2005058437.tif 000008
【図７】
2005058437.tif 000009